(57)【特許請求の範囲】
【請求項１】
視力レベルと、表示内容種別と、表示倍率とを対応付けて記憶した表示倍率データベースと、出力部とを備え、ユーザが利用する電化製品であって、
前記出力部に表示した文字や図形の表示倍率を時間経過により変化させ、可読性の高い表示倍率を前記ユーザに選択させる可読性診断手段と、
前記可読性診断手段において選択された表示倍率から、前記ユーザの視力レベルを決定する視力レベル決定手段と、
前記視力レベル決定手段によって決定された視力レベルを用いて、前記表示倍率データベースから、表示内容の表示倍率を抽出する表示倍率決定手段と、を備え、
前記視力レベル決定手段は、前記可読性診断手段において選択された倍率と、前記ユーザの前記電化製品に関する画面設定履歴を参照した結果から、前記ユーザの視力レベルを決定することを特徴とする、電化製品。
【請求項２】
前記可読性診断手段は、前記出力部に文字や図形を複数の表示倍率で表示し、可読性の高い表示倍率を前記ユーザに選択させる可読性診断手段である、請求項１に記載の電化製品。
【請求項３】
前記電化製品は、音声による入力部を備え、
前記電化製品の前記可読性診断手段は、前記出力部に表示した文字や図形の倍率を時間経過により変化させ、前記ユーザが前記出力部に表示した内容を読み上げた音声を認識し、その正誤を判断することによって、可読性の高い表示倍率を前記ユーザに選択させる可読性診断手段である、請求項１に記載の電化製品。
【請求項４】
前記ユーザから、可読性に関する評価の入力を受け付ける可読性評価受付手段と、
前記可読性評価受付手段によって受け付けた評価に応じて、前記表示倍率決定手段によって決定した表示倍率を補正する、表示倍率補正手段と、
を備えることを特徴とする、請求項１から請求項３のいずれかに記載の電化製品。
【請求項５】
前記可読性評価受付手段によって受け付けた評価を記憶する可読性評価記憶手段と、
前記可読性評価記憶手段によって記憶した評価を参照して、適切な表示倍率を推薦する表示倍率推薦手段と、
を備えることを特徴とする、請求項４に記載の電化製品。
【請求項６】
視力レベルと、表示内容種別と、表示倍率とを対応付けて記憶した表示倍率データベースと、出力部とを備え、ユーザが利用する電化製品が実行する表示倍率決定方法であって、
前記出力部に表示した文字や図形の表示倍率を時間経過により変化させ、可読性の高い表示倍率を前記ユーザに選択させるステップと、
前記選択された表示倍率から、前記ユーザの視力レベルを決定するステップと、
前記決定された視力レベルを用いて、前記表示倍率データベースから、表示内容種別ごとに表示倍率を抽出するステップと、を備え、
前記ユーザの視力レベルを決定するステップは、前記可読性の高い表示倍率を前記ユーザに選択させるステップにおいて選択された倍率と、前記ユーザの前記電化製品に関する画面設定履歴を参照した結果から、前記ユーザの視力レベルを決定することを特徴とする、表示倍率決定方法。
【請求項７】
視力レベルと、表示内容種別と、表示倍率とを対応付けて記憶した表示倍率データベースと、出力部とを備え、ユーザが利用する電化製品に、
前記出力部に表示した文字や図形の表示倍率を時間経過により変化させ、可読性の高い表示倍率を前記ユーザに選択させるステップ、
前記選択された表示倍率から、前記ユーザの視力レベルを決定するステップ、
前記決定された視力レベルを用いて、前記表示倍率データベースから、表示内容種別ごとに表示倍率を抽出するステップ、
前記可読性の高い表示倍率を前記ユーザに選択させるステップにおいて選択された倍率と、前記ユーザの前記電化製品に関する画面設定履歴を参照した結果から、前記ユーザの視力レベルを決定するステップ、
を実行させる、電化製品用プログラム。
【発明の詳細な説明】
【技術分野】
【０００１】
本発明は、表示倍率を決定する電化製品、表示倍率決定方法、及び、プログラムに関する。
【背景技術】
【０００２】
従来、コンピュータ等の電子的な表示画面において、ユーザの視力に応じて表示する文字や図形の表示倍率を変更する方法が知られている。
【０００３】
前記表示倍率は、大きくするほど正確に情報が伝わる可能性が高まる一方で、小さくするほど一度に表示できる情報量が増加し、両者に相反する利点がある。近年、スマートフォンをはじめとする携帯端末等、液晶部分も含めて小型化された機種の普及が進んでいるため、ユーザの視力に応じて十分な可読性を保持しつつ、一度に可能な限り多くの情報を伝えるべく、適切な表示倍率を求める要請は大きい。
【０００４】
例えば、情報の表示装置において、当該装置自体が視力検出部を備え、その応答結果を元にユーザの視力を測定し、当該視力に応じた表示情報を作成する方法が知られている。
【０００５】
その一例として、特許文献１に記載の、距離に応じて文字フォントのサイズを変更できる番組表表示装置は、視力を検出し、視力に合わせて修正した距離を決定できる。
【先行技術文献】
【特許文献】
【０００６】
【特許文献１】特開２００６−３００９８３号公報
【発明の概要】
【発明が解決しようとする課題】
【０００７】
しかしながら、視力を測定する従来のシステムにおいては、ユーザの視力を実際の表示内容ではなく、画一的な指標により測定し、その結果に基づいて情報の表示倍率を変更するため、当該変更後の表示倍率が、ユーザにとっての理想的な倍率であるかは不明であった。
【０００８】
例えば、特許文献１に記載の番組表表示装置において、ユーザの視力はランドルト氏環を用いた試験により検出しているため、当該試験結果に基づいて決定した全ての表示倍率において、実際に表示された文字の可読性が高いかは、不明である。
【０００９】
本発明は、ユーザの主観的可読性を基に表示倍率を決定する電化製品、表示倍率決定方法、及び、プログラムを提供することを目的とする。
【課題を解決するための手段】
【００１０】
本発明では、以下のような解決手段を提供する。
【００１１】
第１の特徴に係る発明は、
視力レベルと、表示内容種別と、表示倍率とを対応付けて記憶した表示倍率データベースと、出力部とを備え、ユーザが利用する電化製品であって、
前記出力部に表示した文字や図形の表示倍率を時間経過により変化させ、可読性の高い表示倍率を前記ユーザに選択させる可読性診断手段と、
前記可読性診断手段において選択された表示倍率から、前記ユーザの視力レベルを決定する視力レベル決定手段と、
前記視力レベル決定手段によって決定された視力レベルを用いて、前記表示倍率データベースから、表示内容の表示倍率を抽出する表示倍率決定手段と、を備え、
前記視力レベル決定手段は、前記可読性診断手段において選択された倍率と、前記ユーザの前記電化製品に関する画面設定履歴を参照した結果から、前記ユーザの視力レベルを決定することを特徴とする、電化製品を提供する。
【００１２】
第１の特徴に係る発明によれば、視力レベルと、表示内容種別と、表示倍率とを対応付けて記憶した表示倍率データベースと、出力部とを備え、ユーザが利用する電化製品は、前記出力部に表示した文字や図形の表示倍率を時間経過により変化させ、可読性の高い表示倍率を前記ユーザに選択させ、選択された表示倍率から、前記ユーザの視力レベルを決定し、決定された視力レベルを用いて、前記表示倍率データベースから、表示内容の表示倍率を抽出し、前記可読性診断手段において選択された倍率と、前記ユーザの前記電化製品に関する画面設定履歴を参照した結果から、前記ユーザの視力レベルを決定する。
【００１３】
第２の特徴に係る発明は、
前記可読性診断手段は、前記出力部に文字や図形を複数の表示倍率で表示し、可読性の高い表示倍率を前記ユーザに選択させる可読性診断手段である、第１の特徴に係る発明である電化製品を提供する。
【００１４】
第２の特徴に係る発明によれば、第１の特徴に係る発明である電化製品は、可読性診断手段として、前記出力部に文字や図形を複数の表示倍率で表示し、可読性の高い表示倍率を前記ユーザに選択させる。
【００１５】
第３の特徴に係る発明は、
音声による入力部を備え、
前記電化製品の前記可読性診断手段は、前記出力部に表示した文字や図形の倍率を時間経過により変化させ、前記ユーザが前記出力部に表示した内容を読み上げた音声を認識し、その正誤を判断することによって、可読性の高い表示倍率を前記ユーザに選択させる可読性診断手段である、第１の特徴に係る発明である電化製品を提供する。
【００１６】
第３の特徴に係る発明によれば、第１の特徴に係る発明である電化製品は、音声による入力部を備え、可読性診断手段として、前記出力部に表示した文字や図形の倍率を時間経過により変化させ、前記ユーザが前記出力部に表示した内容を読み上げた音声を認識し、その正誤を判断することによって、可読性の高い表示倍率を前記ユーザに選択させる。
【００１９】
第４の特徴に係る発明は、
前記ユーザから、可読性に関する評価の入力を受け付ける可読性評価受付手段と、
前記可読性評価受付手段によって受け付けた評価に応じて、前記表示倍率決定手段によって決定した表示倍率を補正する、表示倍率補正手段と、
を備えることを特徴とする、第１から第３の特徴に係る発明のいずれかである電化製品を提供する。
【００２０】
第４の特徴に係る発明によれば、第１から第３の特徴に係る発明のいずれかである電化製品は、前記ユーザから、可読性に関する評価の入力を受け付け、受け付けた評価に応じて、前記表示倍率決定手段によって決定した表示倍率を補正する。
【００２１】
第５の特徴に係る発明は、
前記可読性評価受付手段によって受け付けた評価を記憶する可読性評価記憶手段と、
前記可読性評価記憶手段によって記憶した評価を参照して、適切な表示倍率を推薦する表示倍率推薦手段と、
を備えることを特徴とする、第４の特徴に係る発明である電化製品を提供する。
【００２２】
第５の特徴に係る発明によれば、第４の特徴に係る発明である電化製品は、前記受け付けた評価を記憶し、記憶した評価を参照して、適切な表示倍率を推薦する。
【００２３】
これら上記の発明は、電化製品のカテゴリであるが、方法、プログラムのカテゴリであっても、そのカテゴリに応じた同様の作用、効果を奏する。
【００２４】
第６の特徴に係る発明は、
視力レベルと、表示内容種別と、表示倍率とを対応付けて記憶した表示倍率データベースと、出力部とを備え、ユーザが利用する電化製品が実行する表示倍率決定方法であって、
前記出力部に表示した文字や図形の表示倍率を時間経過により変化させ、可読性の高い表示倍率を前記ユーザに選択させるステップと、
前記選択された表示倍率から、前記ユーザの視力レベルを決定するステップと、
前記決定された視力レベルを用いて、前記表示倍率データベースから、表示内容種別ごとに表示倍率を抽出するステップと、を備え、
前記ユーザの視力レベルを決定するステップは、前記可読性の高い表示倍率を前記ユーザに選択させるステップにおいて選択された倍率と、前記ユーザの前記電化製品に関する画面設定履歴を参照した結果から、前記ユーザの視力レベルを決定することを特徴とする、表示倍率決定方法を提供する。
【００２５】
第７の特徴に係る発明は、
視力レベルと、表示内容種別と、表示倍率とを対応付けて記憶した表示倍率データベースと、出力部とを備え、ユーザが利用する電化製品に、
前記出力部に表示した文字や図形の表示倍率を時間経過により変化させ、可読性の高い表示倍率を前記ユーザに選択させるステップ、
前記選択された表示倍率から、前記ユーザの視力レベルを決定するステップ、
前記決定された視力レベルを用いて、前記表示倍率データベースから、表示内容種別ごとに表示倍率を抽出するステップ、
前記可読性の高い表示倍率を前記ユーザに選択させるステップにおいて選択された倍率と、前記ユーザの前記電化製品に関する画面設定履歴を参照した結果から、前記ユーザの視力レベルを決定するステップ、
を実行させる、電化製品用プログラムを提供する。
【発明の効果】
【００２６】
本発明によれば、ユーザの主観的可読性を基に、表示倍率を決定する電化製品、方法、及び、プログラムを提供することが可能になる。
【図面の簡単な説明】
【００２７】
【図１】図１は、電化製品１０の機能ブロック図である。
【図２】図２は、電化製品１０が実行する表示倍率の決定処理を示すフローチャートである。
【図３】図３は、表示倍率データベース１０１内の表示倍率テーブルである。
【図４】図４は、表示倍率データベース１０１内の画面設定履歴テーブルである。
【図５】図５は、電化製品１０が表示する、試験用データの表示画面の一例である。
【図６】図６は、電化製品１０が表示する、試験用データの表示画面の一例である。
【図７】図７は、電化製品１０が備える、音声入力装置の一例である。
【図８】図８は、電化製品１０が表示する、可読性評価画面の一例である。
【図９】図９は、表示倍率データベース１０１内の可読性評価テーブルである。
【発明を実施するための形態】
【００２８】
以下に、本発明を実施するための最良の形態について、図を参照しながら説明する。なお、この実施の形態はあくまでも一例であって、本発明の技術的範囲はこれに限られるものではない。
【００２９】
本発明の概要について説明する。本発明においては、表示する情報の構成要素や、情報そのものを用いて、ユーザの主観的可読性を測定し、各種補正を加えてユーザの視力レベルを決定した後、当該視力レベルを用いて情報の表示倍率を決定することで、ユーザにとって可読性の高い表示倍率を決定することができる。
【００３０】
［各機能の説明］
まず、図１に基づいて、各装置の構成について説明する。電化製品１０は、制御部１１として、ＣＰＵ（Ｃｅｎｔｒａｌ  Ｐｒｏｃｅｓｓｉｎｇ  Ｕｎｉｔ），ＲＡＭ（Ｒａｎｄｏｍ  Ａｃｃｅｓｓ  Ｍｅｍｏｒｙ），ＲＯＭ（Ｒｅａｄ  Ｏｎｌｙ  Ｍｅｍｏｒｙ）等を備え、データやファイルを記憶する記憶部１２として、ハードディスクや半導体メモリ、記録媒体、メモリカード等による、データのストレージ部を備える。記憶部１２は、表示倍率データベース１０１を備える。
【００３１】
電化製品１０において、制御部１１が所定のプログラムを読み込むことで、記憶部１２と協働して、視力レベル決定モジュール１４、画面設定履歴参照モジュール１５、表示倍率決定モジュール１６、表示倍率推薦モジュール１７を実現する。また、電化製品１０において、制御部１１が所定のプログラムを読み込むことで、記憶部１２、及び、入出力部１３と協働して、可読性評価モジュール１８を実現する。また、電化製品１０において、制御部１１が所定のプログラムを読み込むことで、入出力部１３と協働して、試験データ表示モジュール１９、入力受付モジュール２０、情報表示モジュール２１を実現する。
【００３２】
［表示倍率の決定処理］
図２は、電化製品１０が実行する表示倍率の決定処理の手順を表したフローチャートである。この表示倍率の決定処理について説明する。
【００３３】
初めに、電化製品１０の試験データ表示モジュール１９は、文字や図形等、電化製品１０の表示する情報に通常用いられる構成要素か、あるいは情報そのものを、前記電化製品１０の出力部に、試験データとして表示する（ステップＳ０１）。
【００３４】
ここで、前記表示とは、図５に示されるように、時間経過とともに表示内容５１の表示倍率が様々に変化するものである。この場合、ユーザは、自分にとって望ましい程度に可読性がある時点において、決定ボタン５２を押し、望ましい表示倍率を選択するよう指示される。
【００３５】
ここで、ユーザは決定ボタンを押す際に、マウス、キーボード、タッチパネル、携帯端末の番号キーなどの入力部を用いることができる。また、図７に示されるように、前記電化製品１０が入力部として、マイク等の音声入力装置７１を備える場合、ユーザは「決定」を初めとする特定の単語や、あるいは出力部に表示された表示内容７２を読み上げたことによって、ユーザが望ましい倍率を選択したものと扱ってもよい。
【００３６】
また、前記表示とは、図６に示されるように、表示内容６１を複数の表示倍率で表示することであってもよい。この場合、ユーザは、自分にとって望ましい程度に可読性がある表示倍率にカーソル６２を合わせ、決定ボタン６３を押し、望ましい表示倍率を選択するよう指示される。
【００３７】
前記電化製品１０の入力受付モジュール２０は、前記ユーザの選択を、入力として受け付ける（ステップＳ０２）。そして、電化製品１０の視力レベル決定モジュール１４は、前記選択された表示倍率と、表示倍率データベース１０１とに基づいて、前記ユーザの視力レベルを決定する（ステップＳ０３）。
【００３８】
前記電化製品１０の視力レベル決定モジュール１４は、視力レベルを決定するにあたり、前期選択された表示倍率を用いて、表示倍率データベース１０１の表示倍率テーブルから視力レベルを抽出する。図３は、表示倍率データベース１０１の表示倍率テーブルの一例である。例えば、前記表示内容がひらがなの「あ」であり、前記ユーザが選択した表示倍率が１１０％であれば、前記ユーザの視力レベルとして、２が抽出できる。
【００３９】
ここで、電化製品１０の画面設定履歴参照モジュール１５は、電化製品１０の画面設定履歴を参照し、視力レベルを補正してもよい。画面設定履歴とは、画面に表示する文字等の表示倍率を、ユーザが能動的に変更した履歴である。
【００４０】
図４は、表示倍率データベース１０１内の画面設定履歴テーブルを表したものである。視力レベル決定モジュール１４は、前記画面設定履歴参照モジュール１５によって参照された当該画面設定履歴テーブル内の表示倍率が、前記ユーザが変更時刻において選択した表示倍率であるものとして、前記ユーザの視力レベルを抽出し、視力レベルを補正してもよい。
【００４１】
次に、電化製品１０の表示倍率決定モジュール１６は、前記決定したユーザの視力レベルと、表示倍率データベース１０１とに基づいて、表示内容の表示倍率を決定する（ステップＳ０４）。
【００４２】
表示倍率決定モジュール１６は、表示倍率を決定するにあたり、前記決定したユーザの視力レベルを用いて、表示倍率データベース１０１から、表示内容の表示倍率を抽出する。例えば、前記決定したユーザの視力レベルが２である場合、文字は１１０％、画像は１０５％となる。当該画像に関する倍率は、新聞記事等の文字と同時に表示される情報としての画像のほか、プログラムのアイコン等に対して適用してもよい。
【００４３】
また、表示倍率決定モジュール１６は、表示倍率を決定するにあたり、あわせて画面上に表示する最大文字数を決定してもよい。例えば、前記決定したユーザの視力レベルが２である場合、画面上に表示する最大文字数は、前記決定したユーザの視力レベルが１である場合を基準にした時の１１０％となる。
【００４４】
最後に、電化製品１０の情報表示モジュール２１は、表示すべき情報を、前記決定した表示倍率を用いて表示する（ステップＳ０５）。
【００４５】
ここで、前記決定した表示倍率を用いて表示するのは、当該表示倍率の決定処理を提供するプログラムと連携した、インターネットブラウザや、テキストエディタ等の単一のプログラムのみであってもよいし、または、前記電化製品１０のオペレーティングシステムを介して表示される文字や画像全てが、前記決定した表示倍率を用いて表示されてもよい。
【００４６】
また、表示倍率決定モジュール１６は、表示倍率と同様に、画面の色調反転、明るさ調整等の、可読性を作用する一般的な画面の要素を変更できる手段を備えていてよい。
【００４７】
以上が、表示倍率の決定処理の手順である。
【００４８】
［可読性評価処理］
図８は、電化製品１０の表示する、可読性評価処理画面の一例である。電化製品１０が、前記表示倍率の決定処理によって決定した表示倍率により、情報を表示した場合においても、実際の利用においてはユーザの可読性が十分でなかったり、または時間経過によって十分でなくなったりする場合がある。可読性評価処理は、そのような場合にユーザからの可読性評価を受け付け、ユーザの視力レベルを補正するものである。
【００４９】
図８に示される可読性評価処理画面は、情報表示部８１と、可読性評価ボタン８２ａ、８２ｂ、８２ｃから構成される。情報表示部８１には、電化製品１０の備える表示倍率の決定処理によって決定された表示倍率で、情報が表示されている。
【００５０】
ユーザは、情報表示部８１に表示されている情報について、文字が大きすぎる、丁度良い、文字が小さすぎる、の三つのうち、もっとも当てはまるものを、可読性評価ボタン８２ａ、８２ｂ、８２ｃを用いて選択する。電化製品１０の、可読性評価モジュール１８は、当該選択の入力を受け付ける。
【００５１】
可読性評価ボタン８２ａが選択された場合、表示倍率をもっと大きくするべきだとして、ユーザの視力レベルは、前記表示倍率の決定処理で決定されたユーザの視力レベルよりも低いものに補正される。
【００５２】
一方、可読性評価ボタン８２ｃが選択された場合、表示倍率をもっと小さくするべきだとして、ユーザの視力レベルは、前記表示倍率の決定処理で決定されたユーザの視力レベルよりも高いものに補正される、
【００５３】
前記補正の後、表示倍率決定モジュール１６は、前記補正されたユーザの視力レベルと、表示倍率データベース１０１とに基づいて、新たな表示倍率を決定する。電化製品１０の情報表示モジュール２１は、表示すべき情報を、前記新たな表示倍率を用いて表示する。
【００５４】
可読性評価ボタン８２ｂが選択された場合は、表示倍率の変更は行わない。以上が、電化製品の実行する可読性評価処理の手順である。
【００５５】
［表示倍率の推薦処理］
電化製品１０の可読性評価モジュール１８は、前記可読性評価処理で選択された可読性評価を、表示倍率データベース１０１の可読性評価テーブルに記憶してもよい。図９は、可読性評価テーブルの一例である。ここで、ユーザ識別子は、ＩＰアドレスで表わされているが、ユーザや電化製品１０を一意に表わすものであれば、ＩＰアドレスに限られない。
【００５６】
電化製品１０の表示倍率推薦モジュール１７は、可読性評価テーブルを用いて、表示倍率の推薦を行う。推薦のためのアルゴリズムとしては、例えば、協調フィルタリングが挙げられる。ここで、協調フィルタリングには、ユーザベースのものとアイテムベースのものがあり、ユーザベースの協調フィルタリングは、特定の表示倍率についての可読性評価が似通っているユーザ同士は、可読性評価が高くなる表示倍率も近似する、との考えにより、採用可能である。
【００５７】
しかしながら、電化製品１０が単一ユーザによって一つのアカウントのみ利用可能である場合、ユーザベースの協調フィルタリングは行うことができない。このような場合には、表示倍率推薦モジュール１７は、あらかじめ開発者によって定められた推薦データと推薦アルゴリズムを用いて、ユーザに対して推薦を行う。
【００５８】
一方で、電化製品１０が公衆回線網と通信を行う通信部を備えている場合、表示倍率推薦モジュール１７は、上記可読性評価テーブルの内容を、公衆回線網を通じて表示倍率推薦サーバ２００に送信し、当該送信内容を用いて演算された推薦結果を、前記表示倍率推薦サーバ２００から受信してもよい。そうすることで、多くのユーザ数の下での協調フィルタリングを行うことができ、ユーザに対して高精度の推薦を行うことができる。
【００５９】
その後、表示倍率推薦モジュール１７は、推薦結果である表示倍率を、ユーザに提示する。ユーザが当該表示倍率を用いることに同意した場合、電化製品１０の情報表示モジュール２１は、表示すべき情報を、前記決定した表示倍率を用いて表示する。以上が、表示倍率の推薦処理の処理手順である。
【００６０】
上述した手段、機能は、コンピュータ（ＣＰＵ，情報処理装置，各種端末を含む）が、所定のプログラムを読み込んで、実行することによって
実現される。プログラムは、例えば、フレキシブルディスク、ＣＤ（ＣＤ−ＲＯＭなど）、ＤＶＤ（ＤＶＤ−ＲＯＭ、ＤＶＤ−ＲＡＭなど）等のコンピュータ読取可能な記録媒体に記録された形態で提供される。この場合、コンピュータはその記録媒体からプログラムを読み取って内部記憶装置または外部記憶装置に転送し記憶して実行する。また、そのプログラムを、例えば、磁気ディスク、光ディスク、光磁気ディスク等の記憶装置（記録媒体）に予め記録しておき、その記憶装置から通信回線を介してコンピュータに提供するようにしてもよい。
【００６１】
以上、本発明の実施形態について説明したが、本発明は上述したこれらの実施形態に限るものではない。また、本発明の実施形態に記載された効果は、本発明から生じる最も好適な効果を列挙したに過ぎず、本発明による効果は、本発明の実施形態に記載されたものに限定されるものではない。
【符号の説明】
【００６２】
１０  電化製品、１０１  表示倍率データベース
【図１】
0005687240.tif 000002
【図２】
0005687240.tif 000003
【図３】
0005687240.tif 000004
【図４】
0005687240.tif 000005
【図５】
0005687240.tif 000006
【図６】
0005687240.tif 000007
【図７】
0005687240.tif 000008
【図８】
0005687240.tif 000009
【図９】
0005687240.tif 000010